(57)【特許請求の範囲】
【請求項１】
矩形形状の複数の窯業系外壁板を，建築物の構造躯体に対して胴縁及び構造用面材を介在させることなく，直接に対面配置してなると共に，上記窯業系外壁板はその側端部を互いに突き合せて配置し，また上記窯業系外壁板の周辺部は全て上記構造躯体に対して釘打ち固定して，上記窯業系外壁板自体による耐力壁を形成することにより，力学的負荷に対する建築物の強度を確保してなり，
上記耐力壁を構成する上記窯業系外壁板は，厚みが１２〜２５ｍｍであると共に，裏側面に樹脂シートを裏打ちしてなり，
かつ，上記窯業系外壁板と上記構造躯体との間には，防水テープを介在させてなり，
また，該防水テープは，上記構造躯体を構成する骨格材上に配設されていると共に，該防水テープを介して上記窯業系外壁板の端部が上記骨格材上に配置されるよう施工してあり，
上記複数の窯業系建築板の側端部を突き合せた突き合せ部分の表側面には，弾性目地処理材とその内部に配置した網目状体とよりなる無目地材を施してあり，
かつ，上記耐力壁の表側面には上記無目地材の上をも含めて，塗材を塗装してなることを特徴とする外壁施工構造。
【請求項２】
請求項１において，上記防水テープは弾力性を有していることを特徴とする外壁施工構造。
【請求項３】
請求項１又は２において，上記防水テープは，上記窯業系外壁板の樹脂シートと上記構造躯体とにそれぞれ密着していることを特徴とする外壁施工構造。
【請求項４】
請求項１〜３のいずれか一項において，上記耐力壁を構成する上下に隣り合う上記窯業系外壁板は，一方の下端部と他方の上端部を合決り接合した合決り部分を形成し，該合決り部分の表側面には，弾性目地処理材とその内部に配置した網目状体とよりなる無目地材を施してあることを特徴とする外壁施工構造。
【発明の詳細な説明】
【０００１】
【発明の属する技術分野】
本発明は，枠組壁工法や軸組壁工法等によって建築物の構造躯体に複数の窯業系外壁板を固定して耐力壁を構成してなる外壁施工構造に関する。
【０００２】
【従来の技術】
従来より，建築板の外壁施工構造として，枠組壁工法や軸組壁工法等により施工される外壁施工構造がある。
上記従来の外壁施工構造９としては，図８に示すものがある。
【０００３】
即ち，該外壁施工構造９は，木材等からなる骨格材９２１によって構成された建築物の構造躯体９２と，該構造躯体９２に固定された複数の構造用面材９３と，該構造用面材９３を被う防水シート９４と，該防水シート９４を介して上記構造用面材９３に固定した胴縁９５と，該胴縁９５に貼り付けた複数の窯業系外壁板９６とからなる（図８，図９）。
上記構造躯体９２に固定した構造用面材９３は，作用する力学的負荷に対する建築物の強度を確保するための耐力壁９３０を構成している。
【０００４】
上記外壁施工構造９を施工するに当っては，まず，上記骨格材９２１によって上記構造躯体９２を組み立てる。次いで，複数の構造用面材９３を，上記骨格材９２１に釘９３５を打って固定する。これにより，上記構造用面材９３を上記構造躯体９２に固定した耐力壁９３０が構成される。更に，上記構造用面材９３に上記防水シート９４を介して胴縁９５を固定し，該胴縁９５に複数の窯業系外壁板９６を順次貼り付ける。
必要に応じて，上記窯業系外壁板９６の表側面に塗材を塗装する。
以上により，上記外壁施工構造９を得る。
【０００５】
【発明が解決しようとする課題】
しかしながら，上記従来の外壁施工構造９には，以下の問題がある。
即ち，上記外壁施工構造９は上述のごとく，上記構造躯体９２，構造用面材９３，防水シート９４，胴縁９５，窯業系外壁板９６とからなり，構成要素が多く，複雑な構造である（図８，図９）。
そのため，上記外壁施工構造９の施工には，多くの工数を必要とし，また材料費も高くなる。
【０００６】
また，上記窯業系外壁板９６を，胴縁９５を介して，直接上記構造躯体９２に釘打ちして固定することも考えられる。しかし，上記窯業系外壁板９６は耐衝撃性を特に有していないので，これに釘打ちすると，図１０に示すごとく，裏側面９６１における釘９３５の貫通部分周辺にひび割れ９６６や欠け９６７を生じ易い。これにより，上記窯業系外壁板９６の上記構造躯体９２への固定力を低下させ，漏水の原因となるおそれがある。
【０００７】
また，上記外壁施工構造９においては，上記防水シート９４を配設しているため，建築物内部（図９の矢印Ｂ）への浸水を防ぐことはできるが，窯業系外壁板９６自体の裏側面９６１からの吸水は防止できない。
そこで，従来より，窯業系外壁板９６の裏側面９６１にはシーラー処理を施す手段が採られているが，これによっても防水効果は不充分であり，特に上記ひび割れ９６６や欠け９６７の部分などから吸水するおそれがある。この吸水によって，上記窯業系外壁板９６が寸法変化を生じるおそれがある。更には，上記ひび割れ９６６や欠け９６７の部分等から二酸化炭素が侵入すると，経年変化による窯業系外壁板９６の炭酸化，中性化が促進され，耐久性が劣化するおそれもある。
【０００８】
本発明は，かかる従来の問題点に鑑みてなされたもので，施工性，防水性，耐久性に優れた耐力壁を構成してなる外壁施工構造を提供しようとするものである。
【０００９】
【課題を解決するための手段】
請求項１に記載の発明は，矩形形状の複数の窯業系外壁板を，建築物の構造躯体に対して胴縁及び構造用面材を介在させることなく，直接に対面配置してなると共に，上記窯業系外壁板はその側端部を互いに突き合せて配置し，また上記窯業系外壁板の周辺部は全て上記構造躯体に対して釘打ち固定して，上記窯業系外壁板自体による耐力壁を形成することにより，力学的負荷に対する建築物の強度を確保してなり，
上記耐力壁を構成する上記窯業系外壁板は，厚みが１２〜２５ｍｍであると共に，裏側面に樹脂シートを裏打ちしてなり，
かつ，上記窯業系外壁板と上記構造躯体との間には，防水テープを介在させてなり，
また，該防水テープは，上記構造躯体を構成する骨格材上に配設されていると共に，該防水テープを介して上記窯業系外壁板の端部が上記骨格材上に配置されるよう施工してあり，
上記複数の窯業系建築板の側端部を突き合せた突き合せ部分の表側面には，弾性目地処理材とその内部に配置した網目状体とよりなる無目地材を施してあり，
かつ，上記耐力壁の表側面には上記無目地材の上をも含めて，塗材を塗装してなることを特徴とする外壁施工構造にある。
【００１０】
上記窯業系外壁板としては，例えば硬質木片セメント板，炭酸マグネシウム板，
木繊維混入セメント板，パルプ混入セメント板等がある。
また，上記樹脂シートとしては，例えばポリエチレンシート，発泡ポリエチレンシート，ポリエチレンテレフタレートシート等がある。或いは，上記樹脂シートとして，例えば発泡ポリエチレンシートとポリエチレンテレフタレートシートを重ね合わせたもの，発泡ポリエチレンシートと紙不織布又はポリエチレンテレフタレート不織布を重ね合わせたもの，或いは，ポリエチレンシートと紙不織布又はポリエチレンテレフタレート不織布を重ね合わせたものを用いてもよい。
【００１１】
また，上記構造躯体は，例えば木材，集成材などからなる骨格材によって構成されている。
また，上記樹脂シートは，例えば接着剤による接着，加熱による融着，或いは超音波や高周波などを利用した融着作用により上記窯業系外壁板に裏打ちされている。
【００１２】
次に，本発明の外壁施工構造の施工方法の一例につき説明する。
まず，骨格材によって上記構造躯体を組み立てる。次いで，該構造躯体に上記防水テープを貼り付ける。次いで，該防水テープの上から，予め樹脂シートが裏打ちされている上記窯業系外壁板を複数枚，互いに側端部を突き合せて貼り付ける。これらを上記構造躯体に釘打ちにより固定して，力学的負荷に対する建築物の強度を確保するための上記耐力壁を構成する。
【００１３】
次に，本発明の作用効果につき説明する。
上記外壁施工構造は，上述のごとく，上記構造躯体と，上記耐力壁を構成する複数の窯業系外壁板とからなる。そのため，上記外壁施工構造は，構造が簡単であり，施工が容易である。また，構成要素が少ないため，材料費も低減させることができる。
【００１４】
また，上記窯業系外壁板は，裏側面に樹脂シートを裏打ちしてなるため，裏側面から水や二酸化炭素を吸収することがない。そのため，上記窯業系外壁板は寸法変化を生ずるおそれがなく，また，炭酸化や中性化が促進されることもない。そのため，耐久性に優れた外壁施工構造を得ることができる。
また，上記窯業系外壁板は，上記樹脂シートが裏打ちされているため，上記構造躯体に釘打ちをする場合のひび割れや欠けの発生を防ぐことができる。
【００１５】
また，上記窯業系外壁板と上記構造躯体との間には，防水テープを介在させてある。即ち，上記窯業系外壁板の裏側面に裏打ちされた樹脂シートと，上記構造躯体を構成する骨格材との間に，上記防水テープを介在させている。
そのため，上記窯業系外壁板と構造躯体との間から水が浸入することを確実に防ぐことができる。
また，これにより，従来の外壁施工構造に必要であった防水シートを別個に施工する必要がなくなり，外壁施工構造の一層の簡略化，ひいては施工の一層の簡略化を図ることができる。
【００１６】
以上のごとく，本発明によれば，施工性，防水性，耐久性に優れた耐力壁を構成してなる外壁施工構造を提供することができる。
【００１７】
また，上記窯業系外壁板は，厚みが１２〜２５ｍｍである。
これにより，上記外壁施工構造は，強度が充分に確保されるとともに，施工が容易となる。
上記窯業系外壁板の厚みが１２ｍｍ未満の場合には，充分な強度を確保するために，上記窯業系外壁板に用いる材料を限定する必要が生ずるおそれがある。一方，上記厚みが２５ｍｍを超える場合には，施工が困難となるおそれがある。
【００１８】
また，上記構造躯体を構成する骨格材上に，上記窯業系外壁板の端部が配置されるよう施工してある。
これにより，一層強度に優れた外壁施工構造を得ることができる。
また，上記突き合せ部分の表側面には，弾性目地処理材とその内部に配置した網目状体とよりなる無目地材を施してある。これにより，上記突き合せ部分からの浸水を確実に防止すると共に，上記突き合せ部分の強度を充分に確保することができる。
【００１９】
次に，請求項２に記載の発明のように，上記防水テープは弾力性を有していることが好ましい。
これにより，上記窯業系外壁板と構造躯体との間からの浸水を確実に防止することができる。
【００２０】
次に，請求項３に記載の発明のように，上記防水テープは，上記窯業系外壁板の樹脂シートと上記構造躯体とにそれぞれ密着していることが好ましい。
即ち，上記防水テープは，上記窯業系外壁板の裏側面に裏打ちされた樹脂シートと，上記構造躯体を構成する骨格材とにそれぞれ密着している。
これにより，上記窯業系外壁板と構造躯体との間からの浸水を一層確実に防止することができる。
【００２１】
次に，請求項４に記載の発明のように，上記耐力壁を構成する上下に隣り合う上記窯業系外壁板は，一方の下端部と他方の上端部を合決り接合した合決り部分を形成し，該合決り部分の表側面には，弾性目地処理材とその内部に配置した網目状体とよりなる無目地材を施してあることが好ましい。
【００２２】
これにより，上記合決り部分からの浸水を確実に防止すると共に，上記合決り部分の強度を充分に確保することができる。また，上記窯業系外壁板の接合部の目立たない，外観意匠性に優れた外壁施工構造を得ることができる。
【００２３】
次に，上記耐力壁の表側面には塗材を塗装してなる。
これにより，外観意匠性に優れた外壁施工構造を得ることができる。また，上記窯業系外壁板が水や二酸化炭素を吸収することを確実に防止することができ，窯業系外壁板の寸法変化や炭酸化，中性化の促進を確実に防止することができる。そのため一層耐久性に優れた外壁施工構造を得ることができる。
なお，上記耐力壁の表側面とは，上記無目地材の上をも含んだ耐力壁の表側面を意味する。
【００２４】
【発明の実施の形態】
実施形態例１
本発明の実施形態例にかかる外壁施工構造につき，図１〜図５を用いて説明する。
本例の外壁施工構造１は，図１，図２に示すごとく，建築物の構造躯体２に対して複数の窯業系外壁板３を固定することにより耐力壁３０を構成してなる。
上記窯業系外壁板３は，図４に示すごとく，裏側面３１に樹脂シート３２を裏打ちしてなる。また，上記窯業系外壁板３と上記構造躯体２との間には，図１，図２に示すごとく，防水テープ４を介在させてある。
【００２５】
上記窯業系外壁板３としては硬質木片セメント板を用い，上記樹脂シート３２としてはポリエチレンシートを用いる。
また，上記構造躯体２は木材からなる骨格材２１によって構成されている。
また，上記樹脂シート３２は，ラミネート加工機により融着して上記窯業系外壁板３に裏打ちされている。
【００２６】
また，上記窯業系外壁板３の厚みは約２５ｍｍであり，上記樹脂シート３２の厚みは約０．５ｍｍである。
図１，図３に示すごとく，上記外壁施工構造１は，上記構造躯体２を構成する骨格材２１上に，各窯業系外壁板３の側端部３３，及び上端部（下実部３６２），及び下端部（上実部３６１）が配置されるよう施工してある。
また，上記防水テープ４は弾力性を有していると共に，上記窯業系外壁板３の樹脂シート３２と上記構造躯体２とにそれぞれ密着している。即ち，上記防水テープ４は，上記窯業系外壁板３の裏側面３１に裏打ちされた樹脂シート３２と，上記構造躯体２を構成する骨格材２１とにそれぞれ密着している。
【００２７】
また，図１に示すごとく，上記耐力壁３０を構成する左右に隣り合う上記窯業系外壁板３は，互いの側端部３３を突き合せた突き合せ部分３３０を形成している。また，図３に示すごとく，上下に隣り合う上記窯業系外壁板３は，一方の下端部に形成した上実部３６１と他方の上端部に形成した下実部３６２を合決り接合した合決り部分３６を形成している。上記突き合せ部分３３０及び上記合決り部分３６の表側面には，図５に示すごとく，弾性目地処理材５１とその内部に配置した網目状体５２とよりなる無目地材５を施してある。
【００２８】
また，図１，図３に示すごとく，上記耐力壁３０の表側面３９には塗材３８を塗装してある。即ち，上記無目地材５の上をも含んだ耐力壁３０の表側面３９の全体に塗材３８が塗装されている。なお，上記合決り部分３６における下側の窯業系外壁板３の上端部に形成された下実部３６２には，弾性コーキング材３３１が予め打設してある。
【００２９】
次に，本例の外壁施工構造１の施工方法につき説明する。
まず，木材からなる骨格材２１によって，図２に示すごとく，上記構造躯体２を組み立てる。即ち，基礎２０の上に，土台２１１，通し柱２１２，胴差２１３，間柱２１４として上記骨格材２１を用いて，構造躯体２を組み立てる。
【００３０】
次いで，該構造躯体２の通し柱２１２，胴差２１３としての骨格材２１に上記防水テープ４を貼り付ける。次いで，該防水テープ２１の上から，予め樹脂シート３２が裏打ちされている上記窯業系外壁板３（図３）を複数枚，互いに側端部３３を突き合せて貼り付ける。次いで，該窯業系外壁板３の上から上記構造躯体２に釘３５を打つことにより，上記窯業系外壁板３を構造躯体２に固定して上記耐力壁３０を構成する（図１）。
【００３１】
更に，図５に示すごとく，上記窯業系外壁板３の合決り部分３６に上記無目地材５を施す。
次いでその上から，図３，図５に示すごとく，上記耐力壁３０の表側面３９全体に塗材３８を塗装する。
【００３２】
次に，本例の作用効果につき説明する。
上記外壁施工構造１は，上述のごとく，上記構造躯体２と複数の窯業系外壁板３とからなる。そのため，上記外壁施工構造１は，構造が簡単であり，施工が容易である。また，構成要素が少ないため，材料費も低減させることができる。
【００３３】
また，上記窯業系外壁板３は，裏側面３１に樹脂シート３２を裏打ちしてなるため，釘打ちによる窯業系外壁板３の裏側面３１のひび割れや欠け（図１０参照）を防ぐことができる。また，それ故，裏側面３１のひび割れや欠けの部分等から水や二酸化炭素を吸収することがなく，上記窯業系外壁板３は寸法変化を生じたり，炭酸化や中性化が促進されたりすることもない。そのため，耐久性に優れた外壁施工構造１を得ることができる。
【００３４】
また，上記窯業系外壁板３と上記構造躯体２との間には，防水テープ４を介在させてある。即ち，上記窯業系外壁板３の裏側面３１に裏打ちされた樹脂シート３２と，上記構造躯体２を構成する骨格材２１との間に，上記防水テープ４を介在させている（図１，図３）。
【００３５】
そのため，突き合せ部分３３０或いは合決り部分３６の裏側面における，上記窯業系外壁板３と構造躯体２との間から水が浸入することを確実に防ぐことができる。
また，これにより，従来の外壁施工構造に必要であった防水シート（図８，図９の符号９４）を別個に施工する必要がなくなり，外壁施工構造１の一層の簡略化，ひいては施工の一層の簡略化を図ることができる。
【００３６】
また，上記窯業系外壁板３は，厚みが約２５ｍｍであるため，上記外壁施工構造１は，強度が充分に確保されるとともに，施工が容易となる。
また，上記構造躯体２を構成する骨格材２１上に直接，上記窯業系外壁板３の側端部３３が配置されるよう施工してあるため，一層強度に優れた外壁施工構造１を得ることができる。
【００３７】
また，上記防水テープ４は弾力性を有しているため，上記窯業系外壁板３及び構造躯体２との密着性が高く，両者の隙間からの浸水を確実に防止することができる。
【００３８】
また，上記耐力壁３０を構成する左右に隣り合う窯業系外壁板３は突き合せ部分３３０を形成し，上下に隣り合う上記窯業系外壁板３は合決り部分３６を形成している。そして，上記突き合せ部分３３０及び上記合決り部分３６の表側面には，無目地材５を施してある（図５）。
【００３９】
これにより，上記突き合せ部分３３０や合決り部分３６からの浸水を確実に防止すると共に，上記合決り部分３６の強度を充分に確保することができる。また，上記窯業系外壁板３の接合部の目立たない，外観意匠性に優れた外壁施工構造１を得ることができる。
【００４０】
また，上記耐力壁３０の表側面３９には塗材３８を塗装してあるため，外観意匠性に優れた外壁施工構造１を得ることができる。また，上記窯業系外壁板３の裏側面３１からの水や二酸化炭素の吸収を確実に防止することができ，窯業系外壁板３の寸法変化や炭酸化，中性化の促進を確実に防止することができる。そのため一層耐久性に優れた外壁施工構造１を得ることができる。
【００４１】
以上のごとく，本例によれば，施工性，防水性，耐久性に優れた耐力壁を構成してなる外壁施工構造を提供することができる。
【００４２】
実施形態例２
本例は，図６に示すごとく，上記窯業系外壁板３に裏打ちする樹脂シート３２として，発泡ポリエチレンシート３２１を用いた例である。
また，上記樹脂シート３２の厚みは約２．０ｍｍである。
その他は，実施形態例１と同様である。
【００４３】
この場合には，上記樹脂シート３２は発泡体（独立気泡構造）であるため，顕著な弾力性を有する。そのため，構造躯体２と窯業系外壁板３との間に介在させている防水テープ４との密着が一層確実となる。
従って，本例によれば，一層防水性に優れた外壁施工構造を得ることができる。
【００４４】
また，本例の外壁施工構造においては，釘打ちによる衝撃に対する強度が極めて高く，上記窯業系外壁板３の裏側面３１におけるひび割れや欠けを一層確実に防止することができる。
その他は，実施形態例１と同様の作用効果を有する。
【００４５】
実施形態例３
本例は，図７に示すごとく，上記窯業系外壁板３に裏打ちする樹脂シート３２として，発泡ポリエチレンシート３２１とポリエチレンテレフタレート不織布３２２とを重ね合わせたものを用いた例である。
即ち，図７に示すごとく，上記窯業系外壁板３の裏側面３１に，上記発泡ポリエチレンシート３２１を裏打ちし，更にその上から上記ポリエチレンテレフタレート不織布３２２を裏打ちしてある。
また，上記樹脂シート３２の厚みは約１．５ｍｍである。
その他は，実施形態例１と同様である。
【００４６】
この場合には，上記樹脂シート３２は発泡層と樹脂層とが積層された構造となっている。そのため，裏打ち材料としての機械的強度は大幅に向上する。
従って，本例によれば，一層防水性，耐久性に優れた外壁施工構造を得ることができる。
その他は，実施形態例１と同様の作用効果を有する。
【００４７】
【発明の効果】
上述のごとく，本発明によれば，施工性，防水性，耐久性に優れた耐力壁を構成してなる外壁施工構造を提供することができる。
【図面の簡単な説明】
【図１】実施形態例１における，外壁施工構造の横断面説明図。
【図２】実施形態例１における，外壁施工構造の正面図。
【図３】実施形態例１における，外壁施工構造の縦断面説明図。
【図４】実施形態例１における，窯業系外壁板の説明図。
【図５】実施形態例１における，無目地材の説明図。
【図６】実施形態例２における，窯業系外壁板の説明図。
【図７】実施形態例３における，窯業系外壁板の説明図。
【図８】従来例における，外壁施工構造の説明図。
【図９】従来例における，外壁施工構造の断面説明図。
【図１０】従来例における，窯業系外壁板への釘打ち部分の説明図。
【符号の説明】
１．．．外壁施工構造，
２．．．構造躯体，
２１．．．骨格材，
３．．．窯業系外壁板，
３０．．．耐力壁，
３１．．．裏側面，
３２．．．樹脂シート，
３８．．．塗材，
４．．．防水テープ，
５．．．無目地材，
【図１】
0003548704.tif 000002
【図２】
0003548704.tif 000003
【図３】
0003548704.tif 000004
【図４】
0003548704.tif 000005
【図５】
0003548704.tif 000006
【図６】
0003548704.tif 000007
【図７】
0003548704.tif 000008
【図８】
0003548704.tif 000009
【図９】
0003548704.tif 000010
【図１０】
0003548704.tif 000011